(57)【要約】  【課題】使い勝手を向上した電気掃除機を提供する。  【解決手段】電動送風機の吸込側に位置する本体集塵室を掃除機本体に設ける。掃除機本体に接続する床ブラシないし電動送風機に形成した風路に形成した取付開口16に集塵カップ21を着脱可能にする。集塵カップ21を取付開口16から取り外した状態で取付開口16を閉塞可能なシャッタ22を設ける。本体集塵室と集塵カップ21とを兼用することで、様々な掃除状況に応じた掃除が可能になるとともに、集塵カップ21を取付開口16から取り外した状態では、取付開口16をシャッタ22により閉塞可能であるので、本体集塵室のみで掃除をすることも可能となり、使い勝手が向上する。  【選択図】図１
2005342428.tif 000002
【特許請求の範囲】
【請求項１】
電動送風機を収容し、この電動送風機の吸込側に位置する第１集塵部を備えた掃除機本体と、
この掃除機本体に連通される吸込口体と、
この吸込口体ないし前記電動送風機に形成された風路と、
この風路に形成された開口と、
この開口に着脱可能な第２集塵部と、
前記第２集塵部を前記開口から取り外した状態で前記開口を閉塞可能な閉塞部材と
を具備したことを特徴とした電気掃除機。
【請求項２】
第２集塵部は、塵埃を慣性力により分離する
ことを特徴とした請求項１記載の電気掃除機。
【請求項３】
開口は、風路の複数箇所に設けられている
ことを特徴とした請求項１または２記載の電気掃除機。
【請求項４】
閉塞部材は、第２集塵部の開口からの取り外しに連動してこの開口を閉塞する
ことを特徴とした請求項１ないし３いずれか一記載の電気掃除機。
【請求項５】
第２集塵部は、把持部を備えている
ことを特徴とした請求項１ないし４いずれか一記載の電気掃除機。
【請求項６】
第２集塵部は、この第２集塵部を開口から着脱可能にする着脱ボタンを把持部の近傍に備えている
ことを特徴とした請求項５記載の電気掃除機。
【請求項７】
第２集塵部は、ホース体の上流側に位置するとともに、把持部と前記ホース体の上流側の端部とに、電動送風機の駆動状態を設定可能な設定ボタンをそれぞれ備えている
ことを特徴とした請求項５または６記載の電気掃除機。
【請求項８】
把持部に操作子を備え、この操作子の動作によってホース体の上流側の端部に設けられた設定ボタンを動作させる機械的なリンク機構を具備した
ことを特徴とした請求項７記載の電気掃除機。
【請求項９】
吸込口体と電動送風機との間に位置し風路の一部を構成する延長管を具備し、
第２集塵部は、収納状態で前記延長管の上側に位置している
ことを特徴とした請求項１ないし８いずれか一記載の電気掃除機。
【発明の詳細な説明】
【技術分野】
【０００１】
本発明は、吸込口体ないし電動送風機に形成された風路に着脱可能に設けられた集塵部を備えた電気掃除機に関する。
【背景技術】
【０００２】
従来、この種の電気掃除機は、電動送風機を収容した掃除機本体を備えている。この掃除機本体には、電動送風機の吸込側に連通してホース体、延長管および床ブラシが順次連通接続される。また、ホース体の先端部には、作業者が操作する手元操作部が設けられている。そして、この手元操作部の下部である延長管の下流側の端部には、床ブラシから吸い込んだ塵埃を空気からサイクロン分離する集塵部が着脱可能に設けられている（例えば、特許文献１および特許文献２参照。）。
【特許文献１】特開２００１−５７９５４号公報（第３頁、図１および図４）
【特許文献２】特開２００２−３０６３８８号公報（第３−４頁、図１）
【発明の開示】
【発明が解決しようとする課題】
【０００３】
しかしながら、上述の電気掃除機では、集塵部を洗浄などの際に取り外した状態では掃除ができないという問題点を有している。
【０００４】
また、集塵部を取り外す際には、一方の手で手元操作部を把持して他方の手で集塵部を取り外さなければならず、集塵部の取り外しに両手を要するという問題もある。
【０００５】
さらに、集塵部が下部に位置していると、例えばベッドの下部の床面などを掃除する際に、手元操作部を下方へ移動させて床ブラシをベッドの下部に挿入した際に、集塵部が床面に当たって掃除の邪魔になるおそれがあり、床面を充分に掃除できないという問題もある。
【０００６】
本発明は、このような点に鑑みなされたもので、使い勝手を向上した電気掃除機を提供することを目的とする。
【課題を解決するための手段】
【０００７】
本発明は、電動送風機の吸込側に位置する第１集塵部を備えた掃除機本体に接続される吸込口体と、この吸込口体ないし電動送風機に形成された風路に形成された開口に着脱可能な第２集塵部と、第２集塵部を開口から取り外した状態で開口を閉塞可能な閉塞部材とを具備したものである。
【発明の効果】
【０００８】
本発明によれば、第１集塵部と第２集塵部とを兼用することで、様々な掃除状況に応じた掃除が可能になるとともに、第２集塵部を取り外した状態では、開口を閉塞部材により閉塞可能であるので、第１集塵部のみで掃除をすることも可能となり、使い勝手が向上する。
【発明を実施するための最良の形態】
【０００９】
以下、本発明の第１の実施の形態の電気掃除機の構成を図１ないし図８を参照して説明する。
【００１０】
図８において、１は掃除機本体で、この掃除機本体１の内部には、電動送風機２が収容されている。そして、この掃除機本体１は、いわゆるキャニスタ型の電気掃除機であり、電動送風機２の駆動にて生じる吸気風とともに吸い込んだ塵埃を捕捉して集塵する。
【００１１】
さらに、この掃除機本体１の前側略中央には、電動送風機２の吸込側すなわち上流側に連通し外部から空気を吸引する本体吸込口３が開口されている。この本体吸込口３には、可撓性を有し湾曲可能な細長略円筒状のホース体４が連通接続され、このホース体４の先端部である上流側には、細長略円筒状の取付筒部５が連通して設けられ、この取付筒部５の上流側には、延長管６が着脱可能に連通接続され、この延長管６の上流側には、吸込口体としての床ブラシ７が着脱可能に連通接続される。この結果、床ブラシ７から、延長管６、取付筒部５、ホース体４、本体吸込口３および電動送風機２の吸込側まで、すなわち床ブラシ７ないし電動送風機２に、風路Ｗが形成される。
【００１２】
そして、掃除機本体１内には、本体吸込口３と電動送風機２の吸込側との間に、第１集塵部としての本体集塵室11が掃除機本体１の上面の蓋体12を開閉させることにより着脱可能に設けられ、この本体集塵室11内には、図示しない紙パックが着脱可能に設けられている。
【００１３】
また、掃除機本体１には、電動送風機２などに商用交流電源からの電力を供給する図示しない電源コードを巻回した図示しないコードリールが収容されている。そして、電源コードは、掃除機本体１の外部へと先端部が導出されている。
【００１４】
ホース体４は、蛇腹状に設けられ、上流側が取付筒部５の下流側に連通接続されている。
【００１５】
取付筒部５は、図１ないし図４に示すように、筒本体13と、この筒本体13の上流側に連続して下方に屈曲した屈曲部14とを有し、側面視で略く字状に形成されている。
【００１６】
筒本体13は、略円筒状に形成され、下流側にホース体４が連通接続され、このホース体４との連通部の外周にホースカバー15が取り付けられている。また、この筒本体13の前側寄りには、開口としての取付開口16が開口形成されている。
【００１７】
この取付開口16は、第２集塵部としての集塵カップ21が着脱可能に取り付け可能なもので、平面視で四角形状に形成され、筒本体13の一側部から筒本体13の上部に亘って筒本体の他側部まで開口されている。また、筒本体13には、図５(a)および図５(b)に示すように、集塵カップ21を取付開口16から取り外した状態で取付開口16を閉塞可能な閉塞部材としてのシャッタ22が設けられている。
【００１８】
さらに、筒本体13には、図２および図４に示すように、集塵カップ21が機械的に係合される被係合部23が取付開口16の先端側の縁部に、筒本体13の径方向に向けて突設されている。この被係合部23は、取付開口16側に開口した係合開口23aを備えている。
【００１９】
またさらに、筒本体13には、集塵カップ21が電気的に接続される端子台24が取付開口16の基端側の縁部に突設されている。この端子台24は、図２に示す上方向に向けて開口し、内部に集塵カップ21と電気的に接続される接点25が設けられている。この接点25は、筒本体13の下流側でホースカバー15の先端側、すなわちホース体４の上流側の端部に設けられた設定ボタンとしてのホース側手元スイッチ26にリード線27を介して電気的に接続されている。
【００２０】
ホース側手元スイッチ26は、電動送風機２の駆動状態を作業者が設定可能にするものである。そして、このホース側手元スイッチ26は、電動送風機２に電気的に接続されホース体４内に配設された図示しないリード線に電気的に接続されている。
【００２１】
シャッタ22は、図５に示すように、蓋としての一対のシャッタ片22a，22bを備えている。これらシャッタ片22a，22bは、筒本体13の長手方向に沿って長手状に形成され、断面視で筒本体13の径寸法と略等しい径寸法を有する円弧状に形成されている。また、これらシャッタ片22a，22bは、互いに略線対称に形成されている。さらに、これらシャッタ片22a，22bは、筒本体13の両側壁内に設けられた収容部31a，31b内に基端部が取り付けられている。
【００２２】
これら収容部31a，31bは、筒本体13の側壁に沿って断面円弧状に形成されている。また、これら収容部31a，31b内には、シャッタ片22a，22bを収容部31a，31bから突出する方向に向けて付勢する付勢手段としてのばね32a，32bが設けられている。このため、これらばね32a，32bにより、集塵カップ21の取付開口16からの取り外しに連動してシャッタ片22a，22bが閉じることで、図５(b)に示すように、シャッタ22が取付開口16を閉塞する。そして、これら収容部31a，31bの上端開口の内縁には、シャッタ片22a，22bとの隙間を気密に閉塞する収容部パッキン33a，33bが両側部に突設されている。
【００２３】
また、シャッタ片22a，22bの先端部には、それぞれ当接片部34a，34bが径方向に突設されている。これら当接片部34a，34bは、シャッタ片22a，22bがそれぞれ収容部31a，31bから最大に突出した状態で互いに当接して取付開口16を閉塞するものである。さらに、当接片部34aには、当接片部34bとの当接状態での隙間を気密に閉塞するパッキン35が取り付けられている。またさらに、シャッタ片22a，22bの基端部には、これらシャッタ片22a，22bの収容部31a，31bからの抜けを防止する抜け止め部36a，36bが両側部に突設されている。
【００２４】
そして、シャッタ22は、集塵カップ21を取付開口16に取り付けた状態でシャッタ片22a，22bがそれぞればね32a，32bの付勢力に抗して両側方に開き、収容部31a，31b内に収容される。
【００２５】
また、屈曲部14は、図２および図４に示すように、上流側に延長管６が着脱可能に接続されるもので、筒本体13と略等しい外径寸法を有している。
【００２６】
さらに、集塵カップ21は、床ブラシ７から空気とともに吸い込まれた塵埃を、この空気とともに直線状に流して塵埃を慣性力により分離する、すなわち慣性分離するもので、集塵部となる集塵カップ本体41と、この集塵カップ本体41の上部にループ状に突設された把持部42とを備えている。
【００２７】
集塵カップ本体41は、取付開口16の内縁に沿った外形を有し、内部が中空に形成されている。そして、この集塵カップ本体41は、集塵カップ21を取付開口16に取り付けた状態で、筒本体13の内壁に設けられた段差状の嵌合凹部43に嵌合する。さらに、この集塵カップ本体41内には、上流側である前端部から下流側である後端部近傍に亘って区画壁部45が形成されている。
【００２８】
この区画壁部45は、集塵カップ本体41の前端部から前後方向に沿って延設された前部壁46と、この前部壁46の後端部から集塵カップ本体41の下部に亘って架設された後部壁47とを有し、集塵カップ本体41の集塵カップ本体41内の下側に集塵室48を、上側に通気室49を、それぞれ区画形成している。
【００２９】
前部壁46には、集塵室48と通気室49とを互いに連通する連通孔51が開口形成され、この連通孔51には、メッシュ状の第１ネットフィルタ52が取り付けられている。この第１ネットフィルタ52は、床ブラシ７から空気とともに吸い込まれた塵埃のうち、主として比較的重量が小さいものを捕集するフィルタである。
【００３０】
また、後部壁47には、集塵室48と通気室49とを互いに連通する通気孔53が開口形成され、この通気孔53には、メッシュ状の第２ネットフィルタ54が取り付けられている。この第２ネットフィルタ54は、床ブラシ７から空気とともに吸い込まれた塵埃のうち、主として比較的重量が大きいものを捕集するフィルタである。
【００３１】
集塵室48は、各ネットフィルタ52，54を通過できない塵埃が内部に集塵される空間部であり、集塵カップ本体41の上流側の開口である上流開口55を備えている。この上流開口55は、集塵カップ21を取付開口16に取り付けた状態で屈曲部14の下流側に連通する。また、この上流開口55には、例えばゴムなどの部材で形成された弁体55aが取り付けられている。
【００３２】
さらに、集塵室48の下部には、この集塵室48と外部とを連通する廃棄用開口56が開口形成されている。そして、この廃棄用開口56は、集塵カップ21の底部となる底蓋57により開閉可能となっている。この底蓋57は、集塵カップ21を取付開口16に取り付けた状態では、筒本体13の嵌合凹部43により押さえられて開閉不可能となっている。
【００３３】
通気室49は、集塵室48を通過して塵埃が捕集された空気が通過する空間部であり、集塵カップ本体41の下流側の開口である下流開口58を備えている。この下流開口58は、集塵カップ21を取付開口16に取り付けた状態で筒本体13の下流側の端部の上流側に連通する。
【００３４】
一方、把持部42は、作業者が把持して床ブラシ７などを操作するとともに、集塵カップ21の取手となるものであり、中空なパイプ状に形成され、集塵カップ本体41の前端部から後端部に亘ってループ状に形成されている。また、この把持部42の前端部には、筒本体13の被係合部23に係合されて集塵カップ21を取付開口16に対して着脱可能にする着脱ボタンとしてのクランプ61が設けられている。さらに、この把持部42には、クランプ61の上方から上端部近傍に亘って、電動送風機２の駆動状態を設定可能な設定ボタンとしてのカップ側手元スイッチ62が設けられている。またさらに、この把持部42の後端部には、筒本体13の端子台24の接点25に電気的に接続される接続部としての差込歯63が設けられている。そして、把持部42の一側部には、底蓋57を開ける蓋開閉ボタンとしての底蓋用クランプ64が設けられている。
【００３５】
クランプ61は、作業者に押圧されるクランプ本体65と、このクランプ本体65から前側下方に突設された係合部66と、クランプ本体65を付勢するクランプ付勢手段としてのクランプばね67とを有し、把持部42の内部に収容されている。
【００３６】
クランプ本体65は、把持部42の前端部の上方に穿設されたクランプ開口68に挿通されて把持部42の外部に突出している。
【００３７】
係合部66は、把持部42の前端部に前後方向に穿設された係合部開口69に挿通され、この係合部開口69から進退可能となっている。そして、この係合部66は、集塵カップ21を取付開口16に嵌合させた状態でクランプ61を操作することで、被係合部23に対して係脱される。
【００３８】
さらに、クランプばね67は、クランプ本体65と集塵カップ本体41の上壁との間に亘って配設され、クランプ本体65をクランプ開口68の開口方向に付勢している。
【００３９】
また、カップ側手元スイッチ62は、把持部42内に延設されたリード線71を介して差込歯63に電気的に接続されている。そして、このカップ側手元スイッチ62は、図１に示すように、クランプ61の近傍にこのクランプ61と一直線上になるように配置されている。
【００４０】
差込歯63は、図２および図４に示すように、把持部42の後部に開口形成された後部開口72に挿通され、先端部が集塵カップ21の後端部から後方に突出している。さらに、この差込歯63は、集塵カップ21を取付開口16に取り付けた状態で端子台24の接点25に電気的に接続され、各手元スイッチ26，62を電気的に接続する。
【００４１】
底蓋用クランプ64は、把持部42の前端部の一側部に設けられ、上下方向に操作することで底蓋57を開けるものである。
【００４２】
そして、延長管６は、伸縮可能な直線パイプ状に形成され、床ブラシ７と電動送風機２との間に位置して風路Ｗの一部を構成している。また、延長管６の上流側の端部の外周部には、掃除機本体１に設けられた図示しない複数の延長管係合部に選択的に係合可能なスタンド部73が設けられている。このスタンド部73は、図６に示す電気掃除機の収納状態、あるいは図７に示す掃除中の一時休憩などの収納状態にて、それぞれ所定の延長管係合部に係合されることで、床ブラシ７、延長管６、取付筒部５およびホース体４を掃除機本体１に対して固定する。そして、延長管６は、これら収納状態で集塵カップ21の下側に位置している。言い換えると、集塵カップ21は、これら収納状態で延長管６の上側に位置している。
【００４３】
さらに、床ブラシ７は、後部に連結管部74が突設され、この連結管部74が延長管６の上流に接続されることで、取付筒部５およびホース体４を介して掃除機本体１に連通接続される。
【００４４】
次に、上記第１の実施の形態の動作を説明する。
【００４５】
まず、ホース体４を本体吸込口３に連通接続する。
【００４６】
次いで、集塵カップ21を取付筒部５に取り付ける際には、図５(a)に示すように、シャッタ22の各シャッタ片22a，22bを両側に開いて取付開口16を開口させ、この取付開口16に集塵カップ21の後端部を取付開口16に上側から挿入して嵌合凹部43に嵌合させた後、集塵カップ21の前端部を下方に押し込むと、クランプ61の係合部66が被係合部23に係合して、集塵カップ21が取付筒部５に固定される。
【００４７】
この状態で、作業者は、延長管６および床ブラシ７を取付筒部５の屈曲部14の上流側に順次連通接続し、把持部42を把持して所定のカップ側手元スイッチ62を操作し、電動送風機２を所定の動作モードで駆動させる。
【００４８】
そして、床ブラシ７を床面上で前後に走行させて床面の塵埃を床ブラシ７から空気とともに吸い込んで掃除する。
【００４９】
床ブラシ７から塵埃とともに吸い込まれた空気は吸込風となり、延長管６および取付筒部５の屈曲部14を通過して集塵カップ21の上流開口55から弁体55aを通過して集塵室48内に流入する。
【００５０】
ここで、吸込風に含まれる塵埃のうち、比較的重量が小さいものは、集塵室48内を直進することなく吸込風とともに連通孔51へと流れ、第１ネットフィルタ52に捕集される。
【００５１】
一方、吸込風に含まれる塵埃のうち、比較的重量が大きいものは、集塵室48内を直進して吸込風とともに通気孔53へと流れ、第２ネットフィルタ54に捕集される。
【００５２】
このとき、集塵室48内では、この集塵室48内を直進する吸込風により第１ネットフィルタ52に付着した塵埃が掻き取られるとともに、この集塵室48内に捕集された比較的大きい綿ごみなどの塵埃が第２ネットフィルタ54へと圧縮される。
【００５３】
各ネットフィルタ52，54により塵埃を捕集された吸込風は、通気室49へと流入し、筒本体13からホース体４へと流入した後、本体吸込口３から本体集塵室11へと流入して、この本体集塵室11内のフィルタ体により集塵カップ21で集塵できなかった細塵を捕集され電動送風機２へと流入する。
【００５４】
そして、電動送風機２へ流入した吸込風は排気風となって、図示しない排気口から掃除機本体１の外部へと排気される。
【００５５】
また、集塵カップ21を取り外す際には、作業者がクランプ61を押すと、係合部66が被係合部23から外れ、集塵カップ21を取り外し可能となる。この状態で、図４に示すように、作業者が集塵カップ21を上方に引き抜いて取り外すと、シャッタ22のシャッタ片22a，22bがそれぞればね32a，32bにより付勢されて収容部31a，31bから突出し、当接片部34a，34bがパッキン35を介して互いに気密に当接し、図３および図５(b)に示すように、シャッタ22が取付開口16を閉塞する。
【００５６】
集塵カップ21を取り外した状態で掃除する際には、作業者は、取付筒部５を把持し、ホース側手元スイッチ26を操作して電動送風機２を所定の状態で駆動させ、集塵カップ21が取り付けられている状態と同様に掃除する。
【００５７】
このとき、空気とともに床ブラシ７から吸い込まれた塵埃は、延長管６、取付筒部５、ホース体４および本体吸込口３を介して本体集塵室11に流入し、この本体集塵室11にて紙パック内に集塵される。
【００５８】
また、集塵カップ21の集塵室48内に所定量以上塵埃が溜まった際には、集塵カップ21を取付開口16から取り外し、底蓋用クランプ64を下方へと押し下げて底蓋57を開けて、集塵室48内に捕集された塵埃を外部に廃棄する。
【００５９】
上述したように、上記第１の実施の形態によれば、本体集塵室11と集塵カップ21とを兼用することで、塵埃の種類、あるいは掃除形態に応じて本体集塵室11と集塵カップ21とを使い分けできるので、様々な掃除状況に応じて掃除でき、集塵された塵埃の廃棄などに集塵カップ21よりも手間がかかる本体集塵室11のごみ詰まりまでの時間を延長できるとともに、集塵カップ21を取付開口16から取り外した状態では、この取付開口16をシャッタ22により閉塞可能であるので、本体集塵室11のみで掃除をすることも可能となり、使い勝手を向上できる。
【００６０】
また、集塵カップ21で塵埃を慣性分離することで、大きい塵埃は集塵カップ21に集塵されるため、本体集塵室11のメンテナンスを軽減できる。
【００６１】
さらに、集塵カップ21を取付開口16から取り外すだけでシャッタ22がばね32a，32bの付勢力で自動的に取付開口16を閉塞するので、取付開口16が開放して掃除できない状態を防止し、使い勝手をより向上できる。
【００６２】
そして、集塵カップ21に把持部42を設けることで、この集塵カップ21の把持部42を掃除の際の把持部としても使用でき、掃除の作業性を向上できるとともに、取付開口16から取り外した集塵カップ21を容易に把持できる。
【００６３】
また、クランプ61を把持部42の近傍に設けることで、把持部42を把持した状態のままで集塵カップ21を取付開口16から着脱できるので、操作性を向上できる。
【００６４】
さらに、把持部42と取付筒部５との両方に各手元スイッチ26，62を設けることで、集塵カップ21を取付開口16に取り付けた際には把持部42を把持してカップ側手元スイッチ62で電動送風機２の駆動を操作でき、集塵カップ21を取り外した際にはホース側手元スイッチ26で電動送風機２の駆動を操作できるので、使い勝手を向上できる。
【００６５】
そして、クランプ61、カップ側手元スイッチ62および底蓋用クランプ64を把持部42の近傍に設けることにより、集塵カップ21の取り付け、掃除作業、集塵カップ21の取り外し、および、集塵カップ21内の塵埃の廃棄までを、作業者が全て片手で作業でき、使い勝手をより向上できる。
【００６６】
また、集塵カップ21が電気掃除機の収納状態である延長管６の起立状態で延長管６の上側に位置しているため、作業者が屈むことなく集塵カップ21を着脱したり集塵カップ21に集塵した塵埃を廃棄したりでき、使い勝手がより向上するとともに、延長管６の上側に集塵カップ21が位置することで、この集塵カップ21の取り外しの際などに風路Ｗ内の塵埃が取付開口16からこぼれることをも防止できる。
【００６７】
次に、第２の実施の形態を図９を参照して説明する。なお、上記第１の実施の形態と同様の構成および作用については、同一符号を付してその説明を省略する。
【００６８】
この図９に示す実施の形態は、集塵カップ21の把持部42に、カップ側手元スイッチ62に代えて、機械的なリンク機構75が設けられている。
【００６９】
このリンク機構75は、作業者が操作する操作子としてのボタン部本体81と、このボタン部本体81から後方に延設された延設部82と、この延設部82を把持部42に軸支する軸支部83と、この軸支部83から後方に延設された鉤部84とを備えている。
【００７０】
ボタン部本体81は、把持部42の上部に穿設されたボタン部突出孔85に挿通されて把持部42から上方に突出している。
【００７１】
延設部82は、ボタン部本体81の後端部から把持部42の内部の形状に沿って略直線状に延設されている。
【００７２】
軸支部83は、把持部42の内部の後部近傍に、この把持部42の上壁の下部に突出したブラケット86と、このブラケット86から幅方向に突出し延設部82の先端部および鉤部84の基端部を回動可能に軸支する回動軸87と、この回動軸87に設けられボタン部本体81がボタン部突出孔85から突出する方向に回動軸87を付勢するトーションばね88とを有している。
【００７３】
鉤部84は、端子台24に設けられた連動用設定ボタンとしての連動スイッチ91に対して下方向から接離可能な係合突出部92が先端部に突設されている。この連動スイッチ91は、電動送風機２のオンオフを切り換えるもので、端子台24に略水平に設けられている。そして、この連動スイッチ91は、ホース側手元スイッチ26に電気的に接続され、このホース側手元スイッチ26による操作に応じて電動送風機２を駆動させる。
【００７４】
そして、この図９に示す実施の形態では、作業者が把持部42を把持してボタン部本体81を下方に押すと、回動軸87を中心として鉤部84が上方に回動し、係合突出部92が連動スイッチ91を押して電動送風機２をオンさせ、電動送風機２が駆動する。
【００７５】
また、作業者がボタン部本体81を再度押すと、係合突出部92が連動スイッチ91を押して電動送風機２をオフさせ、電動送風機２が停止する。
【００７６】
そして、ボタン部本体81の操作によってホース側手元スイッチ26を動作させる機械的なリンク機構75を把持部42に設けることで、集塵カップ21にて電動送風機２を動作させるための電気回路などを集塵カップ21に設けずに済むので、取付開口16から取り外した集塵カップ21を水洗いでき、集塵カップ21のメンテナンスを容易にできる。
【００７７】
しかも、本実施の形態では、水洗いした集塵カップ21が乾くまでの間でも、本体集塵室11によって掃除をすることが可能であるので、使い勝手が良好である。
【００７８】
なお、上記第２の実施の形態において、リンク機構75は、連動スイッチ91を直接押圧する構成に代えて、ホース側手元スイッチ26の動作に間接的に対応させた構成とすることも可能である。
【００７９】
また、操作子としては、押圧するボタン部本体81に代えて、例えばスライドさせて操作するものなど、他の様々な構成を用いることが可能である。
【００８０】
さらに、上記各実施の形態において、図１０に示すように、集塵カップ21に把持部42を設けない構成も可能である。この場合には、集塵カップ21の構成を簡略化できる。
【００８１】
そして、取付開口16は、図１１の想像線に示すように、例えば取付筒部５の下部、延長管６の下流側の端部の下部、延長管６の上流側の端部の下部、あるいは床ブラシ７の連結管部74の上部など、風路Ｗの任意の複数の位置に設けるようにしてもよい。この場合には、掃除箇所などの掃除条件に応じて集塵カップ21を取り付ける位置を様々に変更でき、色々な掃除に対応できて、使い勝手が良好になる。
【００８２】
また、集塵カップ21、あるいはシャッタ22などは、他の様々な構成とすることが可能である。
【００８３】
さらに、収納状態は、図６、あるいは図７に示すような延長管６を掃除機本体１に固定する形態に限定されるものではなく、他の様々な形態とすることが可能である。
【００８４】
そして、本体集塵室11は、紙パック式で集塵するものに限定されず、慣性分離するものなどでもよく、例えば遠心力を利用したサイクロン方式であってもよい。
【図面の簡単な説明】
【００８５】
【図１】本発明の第１の実施の形態の電気掃除機の一部の第２集塵部の取り付け状態を示す斜視図である。
【図２】同上電気掃除機の一部の第２集塵部の取り付け状態を示す側面断面図である。
【図３】同上電気掃除機の一部の第２集塵部の取り外し状態を示す斜視図である。
【図４】同上電気掃除機の一部の第２集塵部の取り外し状態を示す側面断面図である。
【図５】同上電気掃除機の一部を示す正面断面図であり、(a)は開口の開放状態を示す正面断面図、(b)は開口の閉塞状態を示す正面断面図である。
【図６】同上電気掃除機の収納状態を示す斜視図である。
【図７】同上電気掃除機の他の収納状態を示す斜視図である。
【図８】同上電気掃除機を示す斜視図である。
【図９】本発明の第２の実施の形態の電気掃除機の一部を示す側面断面図である。
【図１０】本発明の他の実施の形態の電気掃除機の一部を示す斜視図である。
【図１１】本発明のさらに他の実施の形態の電気掃除機を示す斜視図である。
【符号の説明】
【００８６】
１    掃除機本体
２    電動送風機
６    延長管
７    吸込口体としての床ブラシ
11    第１集塵部としての本体集塵室
16    開口としての取付開口
21    第２集塵部としての集塵カップ
22    閉塞部材としてのシャッタ
26    設定ボタンとしてのホース側手元スイッチ
42    把持部
61    着脱ボタンとしてのクランプ
62    設定ボタンとしてのカップ側手元スイッチ
75    リンク機構
81    操作子としてのボタン部本体
Ｗ    風路
【図１】
2005342428.tif 000003
【図２】
2005342428.tif 000004
【図３】
2005342428.tif 000005
【図４】
2005342428.tif 000006
【図５】
2005342428.tif 000007
【図６】
2005342428.tif 000008
【図７】
2005342428.tif 000009
【図８】
2005342428.tif 000010
【図９】
2005342428.tif 000011
【図１０】
2005342428.tif 000012
【図１１】
2005342428.tif 000013